(57)【要約】システムは、原油から不純物を除去するように構成された水素化処理ゾーンと、前記水素化処理ゾーンから送り出された液体を、軽質留分と重質留分とに分離するように構成された第１の分離ユニットと、前記軽質留分から芳香族石油化学製品を抽出するように構成された芳香族抽出サブシステムと、前記重質留分を、複数のオレフィン系の生成物に分解するように構成された流動接触分解ユニットと、を含む。
2020514473.tif 000002
【特許請求の範囲】
【請求項１】
原油から不純物を除去するように構成された水素化処理ゾーンと；
前記水素化処理ゾーンから送り出された液体を、軽質留分と重質留分とに分離するように構成された第１の分離ユニットと；
前記軽質留分から芳香族石油化学製品を抽出するように構成された芳香族抽出サブシステムと；
前記重質留分を、複数の生成物に分解するように構成された流動接触分解ユニットと；を備える、
システム。
【請求項２】
前記芳香族抽出サブシステムは、溶媒抽出及び抽出蒸留のうちの１つ以上により、前記軽質留分の芳香族石油化学製品を前記軽質留分の他の成分から分離するように構成された芳香族抽出ユニットを備える、
請求項１に記載のシステム。
【請求項３】
前記芳香族抽出サブシステムは、前記軽質留分を改質物に変換するように構成された改質器を備え、前記芳香族抽出ユニットは、前記改質物を受け容れるように構成されている、
請求項２に記載のシステム。
【請求項４】
前記改質物は、前記軽質留分と比較して芳香族石油化学製品に富む、
請求項３に記載のシステム。
【請求項５】
前記芳香族抽出サブシステムは、前記改質器からの送出物を、前記改質物と副生成物留分とに分離するように構成された第２の分離ユニットを備える、
請求項３又は請求項４に記載のシステム。
【請求項６】
前記副生成物留分を、水素と軽質ガスとに分離するように構成されたガス分離ユニットを備える、
請求項５に記載のシステム。
【請求項７】
前記水素は前記水素化処理ゾーンへ提供される、
請求項６に記載のシステム。
【請求項８】
前記軽質ガスは前記熱分解区画へ提供される、
請求項６又は７に記載のシステム。
【請求項９】
前記改質器は、水素化分解、異性化、脱水素環化、及び脱水素化のうちの１つ以上により、前記軽質留分を前記改質物に変換するように構成されている、
請求項３乃至請求項８のいずれか１項に記載のシステム。
【請求項１０】
前記改質器は、芳香族石油化学製品の生産に触媒作用を及ぼすように構成された触媒を備える、
請求項３乃至請求項９のいずれか１項に記載のシステム。
【請求項１１】
前記軽質留分の前記他の成分は、前記水素化処理ゾーンへ戻される、
請求項２乃至請求項１０のいずれか１項に記載のシステム。
【請求項１２】
前記芳香族抽出ユニットは、前記第２の分離ユニットから前記軽質留分を受け容れると共に前記軽質留分と比較して芳香族化合物に富む送出物の流れを生成するように構成されている、
請求項２乃至請求項１１のいずれか１項に記載のシステム。
【請求項１３】
前記芳香族抽出サブシステムは、前記送出物の流れを改質物に変換するように構成された改質器を備え、前記芳香族抽出ユニットは、前記改質物を受け容れるように構成されている、
請求項１２に記載のシステム。
【請求項１４】
原油の投入物の流れを軽質原油留分と重質原油留分とに分離するように構成された第３の分離ゾーンを備え、前記水素化処理ゾーンは、前記重質原油留分から不純物を除去するように構成されている、
請求項１乃至請求項１３のいずれか１項に記載のシステム。
【請求項１５】
前記水素化処理ゾーンからの流出物を、前記水素化処理ゾーンから送り出されたガスと、前記水素化処理ゾーンから送り出された前記液体とに分離するように構成された第４の分離ゾーンを備える、
請求項１乃至請求項１４のいずれか１項に記載のシステム。
【請求項１６】
前記重質留分を第１の留分と第２の留分とに分離するように構成された第５の分離ユニットを備え、前記流動接触分解ユニットが前記第１の留分及び前記第２の留分を前記複数の生成物に分解するように構成されている、
請求項１乃至請求項１５のいずれか１項に記載のシステム。
【請求項１７】
前記水素化処理ゾーンから送り出されたガスを、水素と軽質ガスとに分離するように構成されたガス分離ユニットを備える、
請求項１乃至請求項１６のいずれか１項に記載のシステム。
【請求項１８】
前記水素は前記水素化処理ゾーンに提供される、
請求項１７に記載のシステム。
【請求項１９】
前記第１の分離ゾーンはフラッシュ分離装置を備える、
請求項１乃至請求項１８のいずれか１項に記載のシステム。
【請求項２０】
前記第１の分離ゾーンは、物理的又は機械的に蒸気を液体から分離する分離装置を備える、
請求項１乃至請求項１９のいずれか１項に記載のシステム。
【請求項２１】
前記水素化処理ゾーンは、（ｉ）水素化脱金属触媒と；（ｉｉ）水素化脱芳香族、水素化脱窒素、水素化脱硫、及び水素化分解の機能のうちの１つ以上を有する触媒と；のうちの１つ以上を備える、
請求項１乃至請求項２０のいずれか１項に記載のシステム。
【請求項２２】
前記分解された重質留分を複数の流れに分離するように構成された精製ユニットを備え、各流れは前記複数の生成物のうちの１つに対応する、
請求項１乃至請求項２１のいずれか１項に記載のシステム。
【請求項２３】
前記複数の流れのうちの１つはオレフィン形の生成物に対応し、前記複数の流れのうちの１つは軽質接触分解ガソリンに対応する、
請求項２２に記載のシステム。
【請求項２４】
水素化処理プロセスにより、原油から不純物を除去するステップと；
前記水素化処理プロセスから送り出された液体を、軽質留分と重質留分とに分離するステップと；
前記軽質留分から芳香族石油化学製品を抽出するステップと；
流動接触分解プロセスにより、前記重質留分を複数のオレフィン系の生成物に分解するステップと；を備える、
方法。
【請求項２５】
前記軽質留分から芳香族石油化学製品を抽出するステップは、溶媒抽出及び抽出蒸留のうちの１つ以上により、前記軽質留分の芳香族石油化学製品を前記軽質留分の他の成分から分離するステップを備える、
請求項２４に記載の方法。
【請求項２６】
前記軽質留分から芳香族石油化学製品を抽出するステップは、前記軽質留分を改質器で改質物に変換するステップを備える、
請求項２５に記載の方法。
【請求項２７】
前記改質物は、前記軽質留分と比較して芳香族石油化学製品に富む、
請求項２６に記載の方法。
【請求項２８】
前記改質器からの送出物を、前記改質物と副生成物留分とに分離するステップを備える、
請求項２７に記載の方法。
【請求項２９】
前記副生成物留分を、水素と軽質ガスとに分離するステップを備える、
請求項２８に記載の方法。
【請求項３０】
前記水素を前記水素化処理ゾーンへ提供するステップを備える、
請求項２９に記載の方法。
【請求項３１】
前記軽質ガスを前記熱分解区画へ提供するステップを備える、
請求項２９又は請求項３０に記載の方法。
【請求項３２】
前記軽質留分を改質物に変換するステップは、水素化分解、異性化、脱水素環化、及び脱水素化のうちの１つ以上を行うステップを備える、
請求項２６乃至請求項３１のいずれか１項に記載の方法。
【請求項３３】
前記軽質留分の前記他の成分を前記水素化処理プロセスへ戻すステップを備える、
請求項２５乃至請求項３２のいずれか１項に記載の方法。
【請求項３４】
前記軽質留分から芳香族石油化学製品を抽出するステップは、前記軽質留分と比較して芳香族化合物に富む送出物の流れを生成するステップを備える、
請求項２５乃至請求項３３のいずれか１項に記載の方法。
【請求項３５】
原油の投入物の流れを軽質原油留分と重質原油留分とに分離するステップを備え、前記原油から不純物を除去するステップは、前記重質原油留分から不純物を除去するステップを備える、
請求項２４乃至請求項３４のいずれか１項に記載の方法。
【請求項３６】
前記水素化処理プロセスからの流出物をガスと前記液体とに分離するステップを備える、
請求項２４乃至請求項３５のいずれか１項に記載の方法。
【請求項３７】
前記水素化処理プロセスから送り出されたガスを、水素と軽質ガスとに分離するステップを備える、
請求項２４乃至請求項３６のいずれか１項に記載の方法。
【請求項３８】
前記水素を前記水素化処理プロセスに提供するステップを備える、
請求項３７に記載の方法。
【請求項３９】
前記分解された重質留分を複数の流れに分離するステップを備え、各流れは前記複数の生成物のうちの１つに対応する、
請求項２４乃至請求項３８のいずれか１項に記載の方法。
【請求項４０】
前記複数の流れのうちの１つはオレフィン形の生成物に対応し、前記複数の流れのうちの１つは軽質接触分解ガソリンに対応する、
請求項３９に記載の方法。
【発明の詳細な説明】
【技術分野】
【０００１】
本願は、２０１７年１月４日に出願された米国特許出願第６２／４４２，０５１号及び２０１７年１２月１８日に出願された米国特許出願第１５／８４５，８２６号に基づく優先権を主張し、当該米国特許出願のすべての記載内容を援用する。
【背景技術】
【０００２】
オレフィン（エチレン、プロピレン、ブチレン、及びブタン等）並びに芳香族化合物（ベンゼン、トルエン、及びキシレン等）は、石油化学製品及び化学工業では広く用いられている基本的な中間体である。時には、熱分解又は蒸気熱分解を利用して、石油ガス等の供給原料と、ナフサ、ケロシン、及び軽油等の留出物（蒸留物）とからオレフィン及び芳香族化合物が形成される。
【発明の概要】
【０００３】
ある１つの態様において、システムは、原油から不純物を除去するように構成された水素化処理ゾーンと；前記水素化処理ゾーンから送り出された液体を、軽質留分と重質留分とに分離するように構成された第１の分離ユニットと；前記軽質留分から芳香族石油化学製品を抽出するように構成された芳香族抽出サブシステムと；前記重質留分を、複数の生成物に分解するように構成された流動接触分解ユニットと；を含む。
【０００４】
実施の形態は、以下の特徴の１つ以上を含むことができる。
【０００５】
前記芳香族抽出サブシステムは、溶媒抽出及び抽出蒸留のうちの１つ以上により、前記軽質留分の芳香族石油化学製品を前記軽質留分の他の成分から分離するように構成された芳香族抽出ユニットを備える。
【０００６】
前記芳香族抽出サブシステムは、前記軽質留分を改質物に変換するように構成された改質器を備え、前記芳香族抽出ユニットは、前記改質物を受け容れるように構成されている。
【０００７】
前記改質物は、前記軽質留分と比較して芳香族石油化学製品に富む。
【０００８】
前記芳香族抽出サブシステムは、前記改質器からの送出物を、前記改質物と副生成物留分とに分離するように構成された第２の分離ユニットを含む。
【０００９】
このシステムは、前記副生成物留分を、水素と軽質ガスとに分離するように構成されたガス分離ユニットを含む。
【００１０】
前記水素は前記水素化処理ゾーンへ提供される。
【００１１】
前記軽質ガスは前記熱分解区画へ提供される。
【００１２】
前記改質器は、水素化分解、異性化、脱水素環化、及び脱水素化のうちの１つ以上により、前記軽質留分を前記改質物に変換するように構成されている。
【００１３】
前記改質器は、芳香族石油化学製品の生産に触媒作用を及ぼすように構成された触媒を備える。
【００１４】
前記軽質留分の前記他の成分は、前記水素化処理ゾーンへ戻される。
【００１５】
前記芳香族抽出ユニットは、前記第２の分離ユニットから前記軽質留分を受け容れると共に前記軽質留分と比較して芳香族化合物に富む送出物の流れ（送出物流）を生成するように構成されている。
【００１６】
前記芳香族抽出サブシステムは、前記送出物の流れを改質物に変換するように構成された改質器を備え、前記芳香族抽出ユニットは、前記改質物を受け容れるように構成されている。
【００１７】
このシステムは、原油の投入物の流れ（投入物流）を軽質原油留分と重質原油留分とに分離するように構成された第３の分離ゾーンを含み、前記水素化処理ゾーンは、前記重質原油留分から不純物を除去するように構成されている。
【００１８】
このシステムは、前記水素化処理ゾーンからの流出物を、前記水素化処理ゾーンから送り出されたガスと、前記水素化処理ゾーンから送り出された前記液体とに分離するように構成された第４の分離ゾーンを含む。
【００１９】
このシステムは、前記重質留分を第１の留分と第２の留分とに分離するように構成された第５の分離ユニットを含み、前記流動接触分解ユニットが前記第１の留分及び前記第２の留分を前記複数の生成物に分解するように構成されている。
【００２０】
このシステムは、前記水素化処理ゾーンから送り出されたガスを、水素と軽質ガスとに分離するように構成されたガス分離ユニットを含む。
【００２１】
前記水素は前記水素化処理ゾーンに提供される。
【００２２】
前記第１の分離ゾーンはフラッシュ分離装置を含む。
【００２３】
前記第１の分離ゾーンは、物理的又は機械的に蒸気を液体から分離する分離装置を含む。
【００２４】
前記水素化処理ゾーンは、（ｉ）水素化脱金属触媒と；（ｉｉ）水素化脱芳香族、水素化脱窒素、水素化脱硫、及び水素化分解の機能のうちの１つ以上を有する触媒と；のうちの１つ以上を含む。
【００２５】
このシステムは、前記分解された重質留分を複数の流れに分離するように構成された精製ユニットを含み、各流れは前記複数の生成物のうちの１つに対応する。
【００２６】
前記複数の流れのうちの１つはオレフィン形の生成物に対応し、前記複数の流れのうちの１つは軽質接触分解ガソリンに対応する。
【００２７】
ある１つの態様において、方法は、水素化処理プロセスにより、原油から不純物を除去するステップと；前記水素化処理プロセスから送り出された液体を、軽質留分と重質留分とに分離するステップと；前記軽質留分から芳香族石油化学製品を抽出するステップと；流動接触分解プロセスにより、前記重質留分を複数のオレフィン系の生成物に分解するステップと；を含む。
【００２８】
実施の形態は、以下の特徴の１つ以上を含むことができる。
【００２９】
前記軽質留分から芳香族石油化学製品を抽出するステップは、溶媒抽出及び抽出蒸留のうちの１つ以上により、前記軽質留分の芳香族石油化学製品を前記軽質留分の他の成分から分離するステップを備える。
【００３０】
前記軽質留分から芳香族石油化学製品を抽出するステップは、前記軽質留分を改質器で改質物に変換するステップを備える。
【００３１】
前記改質物は、前記軽質留分と比較して芳香族石油化学製品に富む。
【００３２】
この方法は、前記改質器からの送出物を、前記改質物と副生成物留分とに分離するステップを含む。
【００３３】
この方法は、前記副生成物留分を、水素と軽質ガスとに分離するステップを含む。
【００３４】
この方法は、前記水素を前記水素化処理ゾーンへ提供するステップを含む。
【００３５】
この方法は、前記軽質ガスを前記熱分解区画へ提供するステップを含む。
【００３６】
前記軽質留分を改質物に変換するステップは、水素化分解、異性化、脱水素環化、及び脱水素化のうちの１つ以上を行うステップを備える。
【００３７】
この方法は、前記軽質留分の前記他の成分を前記水素化処理プロセスへ戻すステップを含む。
【００３８】
前記軽質留分から芳香族石油化学製品を抽出するステップは、前記軽質留分と比較して芳香族化合物に富む送出物の流れを生成するステップを備える。
【００３９】
この方法は、原油の投入物の流れを軽質原油留分と重質原油留分とに分離するステップを含み、前記原油から不純物を除去するステップは、前記重質原油留分から不純物を除去するステップを含む。
【００４０】
この方法は、前記水素化処理プロセスからの流出物をガスと前記液体とに分離するステップを含む。
【００４１】
この方法は、前記水素化処理プロセスから送り出されたガスを、水素と軽質ガスとに分離するステップを含む。
【００４２】
この方法は、前記水素を前記水素化処理プロセスに提供するステップを含む。
【００４３】
この方法は、前記分解された重質留分を複数の流れに分離するステップを含み、各流れは前記複数の生成物のうちの１つに対応する。
【００４４】
前記複数の流れのうちの１つはオレフィン形の生成物に対応し、前記複数の流れのうちの１つは軽質接触分解ガソリンに対応する。
【００４５】
ここで述べるシステム及び方法は、下記の利点の１つ以上を有する。すなわち、ここで述べる芳香族化合物を生産するためのアプローチは、複数の生成物、例えば芳香族石油化学製品、オレフィン系石油化学製品、軽質接触分解ガソリンのうちの１つ以上、を生産できる汎用アプローチである。原油から石油化学製品への直接変換時の、ベンゼン、キシレン、トルエン他の芳香族化合物の生産を増やすことができる。原油から芳香族及びオレフィン系生成物並びに軽質接触分解ガソリンへの直接変換により、複雑な蒸留ステップを回避することができる。
【図面の簡単な説明】
【００４６】
【図１】変換システムのブロック図である。
【００４７】
【図２】フローチャートである。
【発明を実施するための形態】
【００４８】
ここでは、原油を、エチレン及びプロピレン等のオレフィン系石油化学製品へ、軽質触媒分解ガソリンへ、そしてベンゼン、トルエン、及びキシレン等の芳香族石油化学製品を含む石油化学製品へ直接変換するための統合された水素化処理及び流動接触分解アプローチについて述べる。ここで述べる、原油を石油化学製品へ変換するためのアプローチにおいて、原油は、不純物を除去するために水素化処理ゾーンで処理される。水素化処理ゾーンからの送出物の一部は、芳香族石油化学製品を抽出するために処理され、水素化処理ゾーンからの送出物の別の一部は、その一部を複数の生成物に分解するために流動接触分解プロセスで処理される。水素化処理ゾーンからの送出物の複数の部分、例えば原油の重質留分と軽質留分の両方、から芳香族石油化学製品を生成する能力により、芳香族石油化学製品の高収率を達成できるようになる。
【００４９】
用語「原油」は、何らかの前処理を受けた原油を含め、従来の供給源からのすべての原油を意味する。用語原油は、水油分離、ガス油分離、脱塩、及び安定化のうちの１つ以上が行われてきた物質ということができる。
【００５０】
図１を参照すると、変換システム１００は、原油から、オレフィン系及び芳香族石油化学製品の両方及び軽質触媒分解ガソリンを初めとする石油化学製品への直接変換を実行する。原油１０２の投入流が、変換システム１００の分離ユニット１０４に受け容れられる。分離ユニット１０４は、原油１０２を、ガス等の軽質留分１０６と、液体等の重質留分１０８と、に分離する。実施の例によっては、軽質留分１０６は、ナフサ留分であり得る。実施の例によっては、軽質留分１０６の沸点を、約６５℃未満とすることができる。
【００５１】
実施の例によっては、分離ユニット１０４を、フラッシュドラム等のフラッシュ分離装置とすることができる。例えば、分離ユニット１０４は、約１５０℃と約２６０℃との間の留分境界点（カットポイント）を持つフラッシュ分離器等の単段分離装置であり得る。実施の例によっては、分離ユニット１０４は、フラッシュゾーンが存在しない状態で作動できる。例えば、分離ユニット１０４は、サイクロン相分離装置、スプリッタ、又は、蒸気及び液体の物理的若しくは機械的分離に基づく別の種類の分離装置を含むことができる。サイクロン相分離装置では、蒸気及び液体がサイクロン構成を通って装置に流入する。蒸気は、円形パターンで旋回させられ、より重い液滴と液体を捕捉して液体出口へ向かわせる力を生み出す。蒸気は、蒸気出口へ向けられる。サイクロン分離装置は、等温的に且つ非常に短い滞留時間で作動する。分離ユニット１０４の留分境界点は、要因、例えば気化温度、分離ユニット１０４に入る物質の流体速度、若しくはその両方、又は他の要因に基づいて調節することができる。分離装置については、米国公開特許第２０１１／０２４７５００号で更に説明されており、その内容は、参照により全体が本明細書に組み込まれる。
【００５２】
重質留分１０８は、不純物、例えば硫黄、金属、窒素、又は他の不純物、を除去するために水素化処理ゾーン１１２へ送られる。軽質留分１０６は、変換システム１００から送り出され、燃料として使用される。変換システム１００の構成によっては、分離ユニット１０４を迂回又は取り払って、原油１０２の投入流を水素化処理ゾーン１１２に、直接、受け容れる。
【００５３】
水素化処理ゾーン１１２は、重質留分１０８（又は、分離ユニット１０４を迂回する場合は原油１０２）を、水素１０５及び下流の処理から戻された非芳香族ガス１５２と共に処理する。水素化処理ゾーン１１２は、水素化脱金属、水素化脱芳香族、水素化脱窒素、水素化脱硫、及び水素化分解のうちの１つ以上のプロセスを実施することができる。水素化処理ゾーン１１２は、有効量の水素化脱金属触媒を含有する１つ以上の床（ベッド）を含むことができる。水素化処理ゾーン１１２は、水素化脱芳香族、水素化脱窒素、水素化脱硫及び水素化分解の各機能のうちの１つ以上を有する、有効量の水素化処理触媒を含有する１つ以上の床を含むことができる。実施の例によっては、水素化処理ゾーン１１２は、複数の触媒床、例えば２つ、３つ、４つ、５つ、又は別の数の触媒床を含むことができる。実施の例によっては、水素化処理ゾーン１１２は、それぞれ機能が同じ又は異なる１つ以上の触媒床を収めた複数の反応槽を含むことができる。水素化処理ゾーンについては、米国公開特許第２０１１／００８３９９６号、並びにＰＣＴ特許出願公開ＷＯ２０１０／００９０７７号、ＷＯ２０１０／００９０８２号、ＷＯ２０１０／００９０８９号及びＷＯ２００９／０７３４３６号で更に説明されており、その内容は、参照により全体が本明細書に組み込まれる。
【００５４】
水素化処理ゾーン１１２は、約３００℃と約４５０℃の間の温度、例えば約３００℃、約３５０℃、約４００℃、約４５０℃、又は別の温度で作動することができる。水素化処理ゾーン１１２は、約３０ｂａｒ（約３ＭＰａ）と約１８０ｂａｒ（約１８ＭＰａ）の間の圧力、例えば約３０ｂａｒ（約３ＭＰａ）、約６０ｂａｒ（約６ＭＰａ）、約９０ｂａｒ（約９ＭＰａ）、約１２０ｂａｒ（約１２ＭＰａ）、約１５０ｂａｒ（約１５ＭＰａ）、約１８０ｂａｒ（約１８ＭＰａ）、又は別の圧力で作動することができる。水素化処理ゾーン１１２は、約０．１ｈ−１と約１０ｈ−１の間の液時間空間速度、例えば約０．１ｈ−１、約０．５ｈ−１、約１ｈ−１、約２ｈ−１、約４ｈ−１、約６ｈ−１、約８ｈ−１、約１０ｈ−１、又は別の液時間空間速度で作動することができる。液時間空間速度は、反応器の容積に対する、反応器を通過する反応液の流量の比である。
【００５５】
水素化処理がなされた流出物１１４は、水素化処理ゾーン１１２から送り出され、分離ユニット１１６、例えば高圧の低温又は高温の分離器、に導かれる。実施の例によっては、流出物１１４を、分離ユニット１１６に至る前に熱交換器（不図示）で冷却することができる。分離ユニット１１６は、水素化処理がなされた流出物１１４を、一般にはガスである分離器塔頂物１１８と、実質的に液体である分離器塔底物１２０とに分離する。実施の例によっては、分離ユニット１１６は、フラッシュドラム等のフラッシュ分離装置であり得る。実施の例によっては、分離ユニット１１６は、フラッシュゾーンが存在しない状態で作動することができる。例えば、分離ユニット１１６は、サイクロン相分離装置、スプリッタ、又は蒸気及び液体の物理的若しくは機械的分離に基づく別の種類の分離装置を含むことができる。
【００５６】
分離器塔頂物１１８は、ガス分離・精製ユニット１２２へ送られる。ガス分離・精製ユニット１２２は、分離器塔頂物１１８を精製するアミン成分と、分離器塔頂物１１８を水素ガス１２４及び軽質ガス１２６（Ｃ１〜Ｃ５炭化水素ガス、硫化水素、アンモニア、又は他の軽質ガスなど）に分離する分離成分と、を含むことができる。水素ガス１２４は、水素化処理ゾーン１１２へ向けて再循環される。実施の例（不図示）によっては、水素ガス１２４を、水素化処理ゾーン１１２へ戻す前にコンプレッサで圧縮することができる。軽質ガス１２６は、水素化処理ゾーン１１２へ向けて再循環させるか、燃料ガス又は液化石油ガス（ＬＰＧ）として用いるために変換システム１１０から送り出すことができる。
【００５７】
分離器塔底物１２０（水素化処理された流出物１１４の重質塔底物を含有している）は、水素化処理ゾーン１１２への原油投入物の重質留分１０８に比べて、金属、硫黄、又は窒素等の汚染物質の含有量は低く、パラフィン度は上がり、ＢＭＣＩ（鉱山局相関指数）は低く、ＡＰＩ（米国石油協会）比重は上がる。分離器塔底物１２０は、分離ユニット１２８へ導かれる。実施の例によっては、分離器塔底物１２０を、分離ユニット１２８に至る前に熱交換器（不図示）で冷却することができ、分離ユニット１２８は、分離器塔底物１２０を軽質留分１３０と重質留分１３２に分離する。実施の例によっては、分離ユニット１２８は、フラッシュドラム等のフラッシュ分離装置であり得る。実施の例によっては、分離ユニット１２８は、フラッシュゾーンが存在しない状態で作動することができる。例えば、分離ユニット１２８は、サイクロン相分離装置、スプリッタ、又は蒸気及び液体の物理的若しくは機械的分離に基づく別の種類の分離装置を含むことができる。分離ユニット１２８は、ナフサ範囲に類似する炭化水素カット（留分）と、それより広い、例えば、芳香族前駆体に富む炭化水素カット（留分）と、を分画することができる、１つ以上の分離装置を含むことができる。分離ユニットについては、米国特許第９，２５５，２３０号、第９，２７９，０８８号、第９，２９６，９６１号、第９，２８４，４９７号、及び第９，２８４，５０２号、並びに米国公開特許第２０１３／０２２０８８４号で更に説明されており、その内容は、参照により全体が本明細書に組み込まれる。
【００５８】
分離ユニット１２８からの軽質留分１３０は、既に脱硫され水素化処理ゾーン１１２で処理された炭化水素を含む。例えば、軽質留分１３０は、ナフサを含むことができる。軽質留分１３０は、約１５０℃と約２３０℃の間（例えば約１５０℃、約１６０℃、約１７０℃、約１８０℃、約１９０℃、約２００℃、約２１０℃、約２２０℃、約２３０℃、又は別の温度）の初期沸点と最終沸点とを持つ炭化水素を含むことができる。重質留分１３２は、約１５０℃と約２３０℃の間（例えば約１５０℃、約１６０℃、約１７０℃、約１８０℃、約１９０℃、約２００℃、約２１０℃、約２２０℃、約２３０℃、又は別の温度）の初期沸点と、５４０℃以上の最終沸点とを持つ炭化水素を含むことができる。軽質留分１３０、重質留分１３２、又は両方の初期沸点及び最終沸点は、変換システム１００へ投入される原油１０２の種類に依存する可能性がある。
【００５９】
場合によっては、分離ユニット１２８からの軽質留分１３０は、ナフサ改質ユニット等の改質器１３８へ送られる。場合によっては、例えば軽質留分の芳香族含有量が著しい場合に、代替経路１３０’を通じて、以下詳細に検討する芳香族抽出ユニット１３４へ軽質留分を送ることができ、芳香族抽出ユニット１３４から送り出された芳香族流１３６を改質器１３８へ送ることができる。軽質留分１３０は、改質器１３８の上流にある水素化処理ゾーン１１２で処理されているので、軽質留分１３０が改質器１３８へ送り込まれる前に軽質留分１３０の水素化処理が実行されることはない。同じく以下詳細に検討する改質器１３８は、軽質留分１３０を、ベンゼン、トルエン、及びキシレン等の多様な芳香族化合物に富む改質物へ変換する。実施の例によっては、改質器１３８は、ベンゼンの生産量を低く抑えることと引き換えにキシレンの生産量を高めることができる。改質器１３８は、炭化水素副生成物、例えば水素ガス及び軽質炭化水素ガス、も生産することができる。改質器１３８で軽質留分１３０を処理することで芳香族化合物を意図的に生成することにより、変換システム１００からの芳香族化合物の全収率の向上が可能になる。
【００６０】
改質器１３８からの送出流１４０は、改質物と副生成物とを含有しており、分離ユニット１４２へ送り込まれる。実施の例によっては、分離ユニット１４２は、フラッシュドラム等のフラッシュ分離装置であり得る。実施の例によっては、分離ユニット１４２は、フラッシュゾーンが存在しない状態で作動することができる。例えば、分離ユニット１４２は、サイクロン相分離装置、スプリッタ、又は蒸気及び液体の物理的若しくは機械的分離に基づく別の種類の分離装置を含むことができる。分離ユニット１４２は、改質器１３４からの送出流１４０を、液体改質物を含む液体流１４４と、改質器１３４からの炭化水素副生成物（例えば水素ガス及び軽質炭化水素ガス）を含むガス流１４６とに分離する。液体流１４４は、芳香族抽出ユニット１３４へ送られる。ガス流１４６は、水素１２４と軽質炭化水素ガス１２６とに分離するための精製装置１２２へ送り込まれる。
【００６１】
改質器１３８は、水素化分解、異性化、脱水素環化、及び脱水素化等の反応のうちの１つ以上を使って、軽質留分１３０と芳香族流１３６とを、ベンゼン、トルエン、及びキシレン等の芳香族化合物に富む改質物へ変換する。改質器１３８は、水素及び軽質炭化水素ガス等の炭化水素副生成物をも生成することができる。改質器は、芳香族化合物の生産を最大化する触媒工程に適合する触媒を含むことができる。例えば、触媒は、一又は二元機能金属触媒（例えば、白金、パラジウム、レニウム、スズ、ガリウム、ビスマス、又は他の金属触媒のうちの１種以上）、ハロゲン含有触媒、ゼオライトＬ又はＺＳＭ−５ゼオライト等のゼオライトを採用する触媒、メソポーラス若しくはマイクロポーラス（例えば、アルミナ、シリカ、若しくはアルミナシリカの担体）である結晶又は非晶質の担体を採用する触媒、又は、芳香族化合物の生産を最大化できる別の種類の触媒、とすることができる。適切な触媒の例は、米国特許第５，０９１，３５１号及びＰＣＴ特許出願公開ＷＯ２０００／００９６３３号に記載されており、両者の内容は、参照により全体が本明細書に組み込まれる。
【００６２】
改質器１３８の作動条件は、芳香族化合物の生産を最大化するように選択することができる。改質器１３８は、約０．０１ｂａｒ（約１ｋＰａ）と約５０ｂａｒ（約５ＭＰａ）の間の圧力、例えば約０．０１ｂａｒ（約１ｋＰａ）、約０．１ｂａｒ（約１０ｋＰａ）、約０．５ｂａｒ（約５０ｋＰａ）、約１ｂａｒ（約０．１ＭＰａ）、約５ｂａｒ（約０．５ＭＰａ）、約１０ｂａｒ（約１ＭＰａ）、約２０ｂａｒ（約２ＭＰａ）、約３０ｂａｒ（約３ＭＰａ）、約４０ｂａｒ（約４ＭＰａ）、約５０ｂａｒ（約５ＭＰａ）、又は別の圧力で作動することができる。改質器１３８における水素の炭化水素に対するモル比は、約１：１と約１０：１の間、例えば約１：１、約２：１、約４：１、約６：１、約８：１、約１０：１、又は別の比とすることができる。改質器１３８は、約４００℃と約６００℃の間の温度、例えば約４００℃、約４５０℃、約５００℃、約５５０℃、約６００℃、又は別の温度で作動することができる。改質器は、約０．１ｈ−１と約５ｈ−１の間の液時間空間速度、例えば約０．１ｈ−１、約０．５ｈ−１、約１ｈ−１、約２ｈ−１、約３ｈ−１、約４ｈ−１、約５ｈ−１、又は別の液時間空間速度で作動することができる。
【００６３】
芳香族抽出ユニット１３４は、溶媒抽出、抽出蒸留、その他の抽出技法を用いて、改質物及び熱分解ガソリンから芳香族化合物を分離する。芳香族抽出ユニット１３４は、改質物を含む液体流１４４を分離ユニット１４２から受け容れ、場合により軽質留分１３０’を分離ユニット１２８から受け容れ、ベンゼン、トルエン、及びキシレンのうちの１種以上等の芳香族化合物に富む富化芳香族化合物流１４８を生産する。富化芳香族化合物流１４８は、変換システム１００外の構成要素によって精製及び収集され得る。芳香族抽出ユニット１３４を出た非芳香族化合物１５２は、更なる処理のために水素化処理ゾーン１１２へ再循環させることができる。富化芳香族化合物流１４８は、高濃度のベンゼン、トルエン、及びキシレンを有し得ると共に、ガソリン沸点範囲まわりに濃縮し得る。
【００６４】
分離ユニット１２８に戻ると、重質留分１３２は、分離ユニット１５４へ送り込まれる。分離ユニット１５４において、重質留分１３２は、重質留分１５６と軽質留分１５８とに分画される。軽質留分１５８は、約１５０℃と約２３０℃との間の温度、例えば約１５０℃、約１６０℃、約１７０℃、約１８０℃、約１９０℃、約２００℃、約２１０℃、約２２０℃、約２３０℃、又は別の温度の初期沸点を有することができると共に、約１５０℃と約３５０℃との間の温度、例えば約１５０℃、約２００℃、約２５０℃、約３００℃、約３５０℃、又は別の温度の最終沸点を有することができる。重質留分１５６は、約１５０℃と約３５０℃との間の温度、例えば約１５０℃、約２００℃、約２５０℃、約３００℃、約３５０℃、又は別の温度の初期沸点を有することができると共に、原油終点（例えばアラビアの軽質原油終点）と同じような（約５００℃と約６００℃との間）の最終沸点を有することができる。実施の例によっては、分離ユニット１５４は、フラッシュドラム等のフラッシュ分離装置であり得る。実施の例によっては、分離ユニット１５４は、フラッシュゾーンが存在しない状態で作動することができる。例えば、分離ユニット１５４は、サイクロン相分離装置、スプリッタ、又は蒸気及び液体の物理的若しくは機械的分離に基づく別の種類の分離装置を含むことができる。
【００６５】
重質留分１５６及び軽質留分１５８は、流動接触分解（ＦＣＣ）ユニット１８０へ送られ、オレフィン系生成物及び軽質接触分解ガソリンを含む複数の生成物に分解される。ＦＣＣ１８０は、１つ以上のダウナーリアクタ（降流反応器）、例えば、１つのダウナーリアクタ、２つのダウナーリアクタ、２つ以上のダウナーリアクタ、を含むことができる。ＦＣＣ１８０は、１つ以上のライザーリアクタ（上流反応器）、例えば、１つのライザーリアクタ、２つのライザーリアクタ、２つ以上のライザーリアクタ、を含むことができる。ＦＣＣユニット１８０は、標準ＦＣＣプロセス又は高過酷度ＦＣＣプロセスを実施することができ、ＦＣＣユニット１８０は、より高い反応温度、より高い触媒の原油留分に対する比、より短い接触時間で運転する。例示のＦＣＣユニットは、米国公開特許第２００８／００１１６４４号及び第２００８／００１１６４５号で説明されており、その内容は、参照により全体が本明細書に組み込まれる。
【００６６】
図１の例では、重質留分１５６はＦＣＣダウナーリアクタへ送られ、軽質留分１５８はＦＣＣライザーリアクタへ送られる。実施の例によっては、重質留分はＦＣＣライザーリアクタに送られてもよく、軽質留分はＦＣＣダウナーリアクタに送られてもよい。実施の例によっては、分離ユニット１５４は迂回されて、重質留分１３２が、任意の流れ１７８として示されるように、ＦＣＣユニット１８０のダウナーリアクタ又はライザーリアクタのようなＦＣＣユニット１８０へ直接送られ得る。
【００６７】
ＦＣＣユニット１８０からの送出生成物１７６は、生成物精製区画１５０へ送られる。生成物精製区画１５０では、エチレン及びプロピレン等のオレフィンが生成され、オレフィンの流れ１７２として送出される。軽質接触分解ガソリン（ＬＣＣＧ）もまた生成物精製区画１５０で生成されてＬＣＣＧ流れ１７０として送出される。ＬＣＣＧ流れ１７０は、高オクタン価を有し得る。実施の例によっては、ＬＣＣＧ流れ１７０は、更なる処理又は販売のためにガソリンプールに送られ得る。実施の例によっては、ＬＣＣＧ流れ１７０は、任意のリサイクル流れ１７４で示すように、流入する原油１０２で再循環され得る。
【００６８】
実施の例によっては、選択的水素化処理又は水素化処理プロセスは、芳香族化合物、とりわけ多環芳香族化合物、の飽和とそれに続く穏やかな水素化分解によって、供給原料（例えば、投入原油流１０２の重質留分１０８）のパラフィン含有量を増やす（又はＢＭＣＩを減らす）ことができる。原油を水素化処理する場合、脱金属、脱硫、及び脱窒素のうちの１つ以上の触媒機能を果たす一連の層状触媒に供給原料を通すことにより、金属、硫黄及び窒素等の汚染物質を除去することができる。実施の例によっては、水素化脱金属（ＨＤＭ）及び水素化脱硫（ＨＤＳ）を行うための一連の触媒は、水素化脱金属触媒、中間触媒、水素化脱硫触媒、及び最終触媒を含むことができる。
【００６９】
ＨＤＭ区画における触媒は、表面積が約１４０ｍ２／ｇと約２４０ｍ２／ｇの間のガンマアルミナ担体に基づくこととすることができる。この触媒の細孔容積は非常に高く、例えば約１ｃｍ３／ｇを超える。細孔径（大きさ）は主にマクロポーラスとすることができ、これは、触媒の表面と、任意であるドーパントと、へ金属を取り込むための大きな容量を提供する。触媒表面上の活性金属は、ニッケル（Ｎｉ）、モリブデン（Ｍｏ）、又は両方、の硫化物とすることができ、その際のＮｉ：（Ｎｉ＋Ｍｏ）のモル比が約０．１５未満である。ニッケル及びバナジウムが供給原料自体から多少堆積し、そのため触媒として作用すると予想されるので、ニッケルの濃度は、ＨＤＭ触媒上では他の触媒よりも低くなっている。ドーパントは、リン、ホウ素、ケイ素、ハロゲンのうちの１種以上とすることができ、例えば米国公開特許第ＵＳ２００５／０２１１６０３号に記載されていて、その内容は、参照により全体が本明細書に組み込まれる。実施の例によっては、触媒は、アルミナ押出物又はアルミナビーズの形態であり得る。例えば、アルミナビーズは、金属が取り込める量が床の頂部で３０〜１００％の範囲となるため、反応器内の触媒ＨＤＭ床の取り出しを容易にするために用いることができる。
【００７０】
水素化脱金属と水素化脱硫の両機能間での移行を行うために、中間触媒を用いることができる。中間触媒は、中間金属充填と細孔径分布とを有することができる。ＨＤＭ／ＨＤＳ反応器内の触媒は、押出物の形態のアルミナベースの担体とすることができ、押出物は、第ＶＩ族（例えば、モリブデン、タングステン、又はその両方）からの少なくとも１種の触媒金属、又は第ＶＩＩＩ族（例えば、ニッケル、コバルト、又はその両方）からの少なくとも１種の触媒金属、又はそれらのうちの任意の２つ以上の組み合わせとすることができる。触媒は、少なくとも１種のドーパント（例えばホウ素、リン、ハロゲン、及びケイ素のうちの１種以上）を含有することができる。中間触媒は、約１４０ｍ２／ｇと約２００ｍ２／ｇの間の表面積、少なくとも約０．６ｃｍ３／ｇの細孔容積、及び約１２ｎｍと約５０ｎｍの間の大きさメソポーラス細孔を有することができる。
【００７１】
ＨＤＳ区画における触媒は、ＨＤＭ範囲の上限に近い、例えば約１８０ｍ２／ｇと約２４０ｍ２／ｇの間の表面積を有するガンマアルミナベースの担体材料を含むことができる。ＨＤＳ触媒では表面が大きいほど比較的小さな細孔容積、例えば約１ｃｍ３／ｇ未満の細孔容積となる。触媒は、モリブデン等の第ＶＩ族からの少なくとも１種の元素と、ニッケル等の第ＶＩＩＩ族からの少なくとも１種の元素とを含有する。触媒は、少なくとも１種のドーパント、例えばホウ素、リン、ケイ素、及びハロゲンのうちの１種以上、を更に含有する。実施の例によっては、コバルト（Ｃｏ）を用いて比較的高レベルの脱硫を提供することができる。活性相に対する金属充填量は、所望の活性が高いほど多く、その結果、Ｎｉ：（Ｎｉ＋Ｍｏ）のモル比は約０．１と約０．３の間となり、（Ｃｏ＋Ｎｉ）：Ｍｏのモル比は約０．２５と約０．８５の間となる。
【００７２】
最終触媒は、水素化脱硫という主要機能を果たすよりはむしろ供給原料の水素化を果たすことができる。実施の例によっては、最終触媒は、中間触媒及びＨＤＳ区画における触媒に置き換えることができる。最終触媒は、ニッケルにより促進させることができ、担体を、広細孔ガンマアルミナとすることができる。最終触媒は、ＨＤＭ範囲の上限に近い、例えば約１８０ｍ２／ｇと約２４０ｍ２／ｇの間の表面積を有することができる。最終触媒では、表面積が大きいほど比較的小さな細孔容積、例えば約１ｃｍ３／ｇ未満の細孔容積となる。
【００７３】
図２を参照すると、原油を石油化学製品に直接変換するためのプロセスの実施の例において、原油は、ガス等の軽質留分と、液体等の重質留分とに分離される（ステップ２０２）。軽質留分は、例えば燃料として利用されるために出力される（ステップ２０４）。重質留分は、水素化処理ゾーンへ送られ（ステップ２０６）、不純物（例えば硫黄、金属、窒素、又は他の不純物）を除去するために処理される（ステップ２０８）。
【００７４】
水素化処理ゾーンからの水素化処理された流出物は、一般にガスである分離器塔頂物と、実質的に液体である分離器塔底物とに分離される（ステップ２１０）。分離器塔頂物は、ガス分離・精製ユニットへ送られ（ステップ２１２）、水素ガスと、Ｃ１〜Ｃ５炭化水素ガス等の軽質ガスとに分離される（ステップ２１４）。軽質ガスは、例えば燃料ガス又は液化石油ガスとして利用されるために出力される（ステップ２１６）。水素は、精製され、水素化処理ゾーンへ向けて再循環される（ステップ２１８）。
【００７５】
水素化処理された流出物の分離器塔底物は、更に軽質留分と重質留分とに分離される（ステップ２２０）。重質留分は、更に重質留分と軽質留分とに分離される（ステップ２２２）。蒸気留分は、分解区画へ送られ（ステップ２２４）、そして流動接触分解ユニット内で処理されて。熱分解区画に投入された留分は、複数の生成物（例えば軽質触媒分解ガソリン及びオレフィン）に分解される（ステップ２２６）。生成物は、分離され、変換システムから送り出される（ステップ２２８）。
【００７６】
分離器塔底物の軽質留分は改質器へ送られる（ステップ２３０）。改質器に投入された成分は、ベンゼン、トルエン、及びキシレン等の芳香族化合物に富む改質物に変換される（ステップ２３２）。改質物は、改質器によって生成された副生成物から分離される（ステップ２３４）。改質物中の芳香族成分は、抽出され、変換システムから送り出される（ステップ２３６）。改質物中の非芳香族成分は、水素化処理ゾーンへ向けて再循環される（ステップ２３８）。改質器によって生成された副生成物は、ガス分離・精製ユニットへ送られる（ステップ２４０）。
【００７７】
他の実施も下記の特許請求の範囲に含まれる。
【符号の説明】
【００７８】
１０２  原油
１０４  分離ユニット
１０６  軽質留分
１０８  重質留分
１１２  水素化処理ゾーン
１１６  分離ユニット
１１８  分離器塔頂物
１２０  分離器塔底物
１２２  ガス分離・精製ユニット
１２６  軽質ガス
１２８  分離ユニット
１３０  軽質留分
１３２  重質留分
１３８  改質器
１４２  分離ユニット
１４４  液体流
１４６  ガス流
１４８  富化芳香族化合物流
１５０  生成物精製区画
１５２  非芳香族化合物
１５４  分離ユニット
１５８  軽質留分
【図１】
2020514473.tif 000003
【図２】
2020514473.tif 000004
【国際調査報告】
2020514473.tif 000005
2020514473.tif 000006